(57)【要約】【課題】  ワン切り行為等を行う悪質な業者からの着信を利用者に意識させないように制御し、利用者の誤発信防止や記憶資源を有効活用することが可能な通信端末装置を提供する。【解決手段】  電話等の着信の検出と同時に、計時を開始する（ステップＳ２０１、Ｓ２０２）。着信の検出時から所定の時間が経過した時点で、着信がまだ継続しているか否かを判定する（ステップＳ２０３、Ｓ２０４）。そして、着信がまだ継続している場合には、着信の発番号を記憶し（ステップＳ２０５）、通常の着信処理（画面表示や鳴動等）を実行する（ステップＳ２０６）。着信が継続していない場合には、着信の発番号を着信履歴記憶部１６に記憶しない（ステップＳ２０７）。よって、この場合は、着信履歴の保存も利用者への通知も行われない。【選択図】  図２ 
2004153784.tif 000002
【特許請求の範囲】
【請求項１】
不応答着信の履歴管理が可能な通信端末装置であって、
履歴を保存する着信の発番号を記憶する着信履歴記憶部と、
他の通信端末装置からの着信を検出する着信検出部と、
前記着信検出部で着信が検出された時点から所定の時間を計時する計時部と、
前記着信検出部で検出された着信が、前記所定の時間を経過して継続しているか否かを判定する着信判定部と、
前記着信判定部において前記所定の時間の経過後も継続していると判定された着信の発番号を、前記着信履歴記憶部に記憶する着信制御部とを備える、通信端末装置。
【請求項２】
少なくとも電話番号を含む任意の情報を記憶する情報記憶部と、
前記着信検出部で検出された着信の発番号が、前記情報記憶部に記憶されている電話番号と一致するか否かを判定する番号比較部とをさらに備え、
前記着信制御部は、前記所定の時間の経過前に切断された着信であっても、着信の発番号が前記情報記憶部に記憶されているいずれかの電話番号と一致する場合には、発番号を前記着信履歴記憶部に記憶することを特徴とする、請求項１に記載の通信端末装置。
【請求項３】
少なくとも電話番号を含む任意の情報を記憶する情報記憶部と、
前記着信検出部で検出された着信の発番号が、前記情報記憶部に記憶されている電話番号と一致するか否かを判定する番号比較部とをさらに備え、
前記着信制御部は、前記所定の時間の経過後も継続している着信であっても、着信の発番号が前記情報記憶部に記憶されている全ての電話番号と一致しない場合には、発番号を前記着信履歴記憶部に記憶しないことを特徴とする、請求項１に記載の通信端末装置。
【請求項４】
前記所定の時間が経過するまでは、利用者に対して着信が生じていることを通知しないことを特徴とする、請求項１に記載の通信端末装置。
【請求項５】
不応答着信の履歴管理が可能な通信端末装置で行われる着信制御方法であって、
他の通信端末装置からの着信を検出するステップと、
前記検出するステップで着信が検出された時点から所定の時間を計時するステップと、
前記検出するステップで検出された着信が、前記所定の時間を経過して継続しているか否かを判定するステップと、
前記判定するステップにおいて前記所定の時間の経過後も継続していると判定された着信の発番号を、所定の着信履歴記憶部に記憶するステップとを備える、着信制御方法。
【請求項６】
不応答着信の履歴管理が可能な通信端末装置が実行するプログラムであって、
前記通信端末装置に、
他の通信端末装置からの着信を検出するステップと、
前記検出するステップで着信が検出された後、所定の時間を計時するステップと、
前記検出するステップで検出された着信が、前記所定の時間を経過して継続しているか否かを判定するステップと、
前記判定するステップにおいて前記所定の時間の経過後も継続していると判定された着信の発番号を、所定の着信履歴記憶部に記憶するステップとを実行させるための、プログラム。
【発明の詳細な説明】
【技術分野】
【０００１】
本発明は、通信端末装置、着信制御方法及び方法実行プログラムに関し、より特定的には、携帯電話やＰＨＳ等の通信端末装置であって、その装置で行われる着信による履歴情報を制御する方法、及びその方法を実行するためのプログラムに関する。
【背景技術】
【０００２】
周知のように、携帯電話やＰＨＳ等の通信端末装置では、着信した際に発呼してきた相手の電話番号（以下、発番号と呼ぶ）が着信履歴として残る。この着信履歴に残った発番号は、通信端末装置内のアドレス帳へ登録する際や、発呼相手へ電話をかけ直す際等に利用される。
【０００３】
昨今、この着信履歴が残る機能を悪用したいわゆる「ワン切り」と呼ばれる行為が多発しており、社会的に問題となっている。ワン切りとは、ある悪質な業者が、不特定多数の通信端末装置に対して発呼し、かつ、これが通話の状態となる前に直ちに切断することによって、発呼先の通信端末装置の着信履歴に特定の電話番号を残す行為である。そして、この悪質な業者は、着信履歴を利用して特定の電話番号にかけ直してきた利用者に対して、高額な利用料を課金するというものである。
【０００４】
このような問題について、通信サービスを提供している業者は「着信履歴に残っている不審な電話番号にはかけ直しをしない」ように注意を促しているが、利用者にとって不審か否かの判断が難しい場合もある。そこで、着信呼出の継続時間等に基づいて、着信履歴に残っている発番号にかけ直しても大丈夫か否か（悪質業者の可能性が高いか否か）の目安となる情報を、利用者に提供する技術が提案されている（特許文献１を参照）。
【特許文献１】特許第３３５３８９０号明細書
【発明の開示】
【発明が解決しようとする課題】
【０００５】
しかしながら、上記特許文献１に開示されている技術では、全ての着信について、かけ直しても大丈夫か否かの情報と共に発番号の履歴を残すことを行う。このため、いくら特殊な表示や音声案内によって注意を促したとしても、利用者の誤操作によって発番号に発信しまう危険性が残る。また、携帯電話等では、メモリ等の記憶資源が限られており、所定の容量を超えた着信履歴は古いものから順に削除されていくのが一般的である。このため、悪質業者から不必要な着信を多数受けてしまうと、必要な発番号が意図せずに削除されてしまうという問題もある。
【０００６】
なお、現状の携帯電話等には、ある特定の番号からの着信を拒否する機能を備えているものもあるが、悪質業者が利用する電話番号を事前に知ることは困難である。また、事前に悪質業者が利用する電話番号を入手できたとしても、その電話番号の着信を拒否する設定が煩わしいということに加え、悪質業者が常にこれと同じ電話番号で発信してくるとも限らない。
【０００７】
それ故に、本発明の目的は、ワン切り行為等を行う悪質な業者からの着信を利用者に意識させないように制御し、利用者の誤発信防止や記憶資源を有効活用することが可能な通信端末装置及び着信制御方法並びに方法実行プログラムを提供することである。
【課題を解決するための手段】
【０００８】
本発明は、不応答着信の履歴管理が可能な通信端末装置に向けられている。そして、上記目的を達成させるために、本発明の通信端末装置は、着信履歴記憶部、着信検出部、計時部、着信判定部及び着信制御部を備えている。
【０００９】
着信履歴記憶部は、履歴を保存する着信の発番号を記憶する。着信検出部は、他の通信端末装置からの着信を検出する。計時部は、着信検出部で着信が検出された時点から所定の時間を計時する。着信判定部は、着信検出部で検出された着信が、所定の時間を経過して継続しているか否かを判定する。着信制御部は、着信判定部において所定の時間の経過後も継続していると判定された着信の発番号を、着信履歴記憶部に記憶する。
【００１０】
この通信端末装置の構成に、少なくとも電話番号を含む任意の情報を記憶する情報記憶部と、着信検出部で検出された着信の発番号が、情報記憶部に記憶されている電話番号と一致するか否かを判定する番号比較部とを、さらに備えてもよい。
【００１１】
この構成であれば、着信制御部は、所定の時間の経過前に切断された着信であっても、着信の発番号が情報記憶部に記憶されているいずれかの電話番号と一致する場合には、発番号を着信履歴記憶部に記憶することが可能となる。あるいは、着信制御部は、所定の時間の経過後も継続している着信であっても、着信の発番号が情報記憶部に記憶されている全ての電話番号と一致しない場合には、発番号を着信履歴記憶部に記憶しないことも可能となる。
【００１２】
なお、本発明の通信端末装置を実効あるものとするためには、所定の時間が経過するまでは、利用者に対して着信が生じていることを通知しないことが好ましい。
【００１３】
上述した通信端末装置の着信履歴記憶部、着信検出部、計時部、着信判定部及び着信制御部が行うそれぞれの処理は、一連の処理手順を与える着信制御方法として捉えることができる。すなわち、不応答着信の履歴管理が可能な通信端末装置において、他の通信端末装置からの着信を検出し、この着信が検出された時点から所定の時間を計時し、検出された着信が所定の時間を経過して継続しているか否かを判定し、所定の時間の経過後も継続していると判定された着信の発番号を所定の着信履歴記憶部に記憶する着信制御方法である。
【００１４】
好ましくは、この着信制御方法は、一連の処理手順を通信端末装置に実行させるためのプログラムの形式で提供される。このプログラムは、コンピュータ読み取り可能な記録媒体に記録されてもよい。
【発明の効果】
【００１５】
本発明では、通話することなく所定の時間が経過する前に切断された着信、すなわち不応答着信については、着信履歴を保存せずかつ利用者への通知も行わない。よって、この所定の時間を適切に設定することで、ワン切り行為を行う悪質業者からの着信等を利用者に意識させることなく排除することができる。また、着信履歴を残さないので、利用者の誤発信防止や記憶資源を有効活用することが可能となる。
【００１６】
また、通話することなく所定の時間が経過する前に切断された着信であっても、利用者が予め設定している電話番号と一致すれば着信履歴を保存し、また所定の時間が経過した後も継続している着信であっても、利用者が予め設定している電話番号と一致しなければ着信履歴を保存しない。よって、例えば知っている相手が行ったワン切り行為に関しては着信履歴を保存することができ、ワン切り行為ではなくても知らない相手からの着信履歴を残さないようにすることができる。
【発明を実施するための最良の形態】
【００１７】
以下、本発明の実施形態について、図１〜図５を用いて説明する。
【００１８】
（第１の実施形態）
図１は、本発明の第１の実施形態に係る通信端末装置の構成を示すブロック図である。図１において、第１の実施形態に係る通信端末装置は、アンテナ１０と、送受信部１１と、着信検出部１２と、計時部１３と、着信判定部１４と、着信制御部１５と、着信履歴記憶部１６と、出力部１７とを備えている。なお、通信端末装置には、上記構成に加えて、発信処理を行う構成及び利用者からの指示入力を受け付ける構成等がさらに含まれるが、本発明の特徴的な処理に直接関係がないため、図１では省略している。
【００１９】
まず、図１に示した第１の実施形態に係る通信端末装置の各構成の概要を説明する。
【００２０】
送受信部１１は、アンテナ１０を介して他の通信端末装置との間で電波の発信及び着信を行う。着信検出部１２は、送受信部１１が電波を受信したことを、すなわち着信を検出する。計時部１３は、着信検出部１２における着信の検出と同時に計時を開始し、所定の時間が経過した時点を着信判定部１４に伝える。この計時部１３は、例えば一定時間を計るタイマとタイマのタイムアウト数をカウントするカウンタとで、容易に構成可能である。着信判定部１４は、着信検出部１２で検出された着信と計時部１３が計時している時間とに基づいて、着信が所定の時間を経過して継続しているか否かを着信制御部１５に通知する。着信制御部１５は、着信判定部１４から通知される内容に応じて、送受信部１１が受信した着信の履歴を、着信履歴記憶部１６に記憶するか否か、また出力部１７に出力するか否かを制御する。着信履歴記憶部１６は、履歴を保存する着信の発番号を記憶する。出力部１７は、表示画面等であって発番号等の着信履歴を表示する。
【００２１】
次に、図２をさらに参照して、上記構成による通信端末装置で行われる着信制御方法を説明する。図２は、本発明の第１の実施形態に係る通信端末装置が行う着信制御方法の処理手順を示すフローチャートである。
【００２２】
着信検出部１２において着信が検出されると（ステップＳ２０１）、計時部１３は、計時を開始する（ステップＳ２０２）。そして、計時部１３は、着信の検出時から所定の時間が経過した時点を着信判定部１４に通知する（ステップＳ２０３）。この所定の時間は、任意に設定可能であるが、ワン切り行為を排除させるため例えば呼び出し音１回分以上の時間に設定するのが好ましい。着信判定部１４は、計時部１３から通知される所定の時間の経過時点で、着信検出部１２で検出された着信がまだ継続しているか否かを判定する（ステップＳ２０４）。着信制御部１５は、着信判定部１４でまだ着信が継続している場合には、この着信の発番号を着信履歴記憶部１６に記憶し（ステップＳ２０５）、通常の着信処理（画面表示や鳴動等）を実行する（ステップＳ２０６）。よって、この場合には、着信履歴が保存されると共に利用者に通知される。一方、着信制御部１５は、着信判定部１４で着信が継続していない場合には、着信の発番号を着信履歴記憶部１６に記憶しない（ステップＳ２０７）。よって、この場合には、着信履歴の保存も利用者への通知もされない。
【００２３】
以上のように、本発明の第１の実施形態に係る通信端末装置及び着信制御方法によれば、通話することなく所定の時間が経過する前に切断された着信（不応答着信）については、着信履歴が保存されないし、利用者への通知もされない。よって、この所定の時間を適切に設定することで、ワン切り行為を行う悪質業者からの着信等を利用者に意識させることなく排除することができる。また、着信履歴を残さないので、利用者の誤発信防止や記憶資源を有効活用することが可能となる。
【００２４】
（第２の実施形態）
上記第１の実施形態では、所定の時間が経過する前に切断された着信の履歴不保存、及び所定の時間が経過した後で切断された着信の履歴保存を、無条件で行う場合を説明した。次に、第２の実施形態では、利用者が予め設定している電話番号の情報を用いて、この保存／不保存を実行する方法を説明する。
【００２５】
図３は、本発明の第２の実施形態に係る通信端末装置の構成を示すブロック図である。図３において、第２の実施形態に係る通信端末装置は、アンテナ１０と、送受信部１１と、着信検出部１２と、計時部１３と、着信判定部１４と、情報記憶部２１と、番号比較部２２と、着信制御部１５と、着信履歴記憶部１６と、出力部１７とを備えている。図３に示すように、本第２の実施形態に係る通信端末装置は、上記第１の実施形態に係る通信端末装置に情報記憶部２１及び番号比較部２２を新たに加えた構成である。
【００２６】
まず、図３に示した第２の実施形態に係る通信端末装置の各構成の概要を説明する。
【００２７】
送受信部１１は、アンテナ１０を介して他の通信端末装置との間で電波の発信及び着信を行う。着信検出部１２は、送受信部１１が電波を受信したことを、すなわち着信を検出する。計時部１３は、着信検出部１２における着信の検出と同時に計時を開始し、所定の時間が経過した時点を着信判定部１４に伝える。着信判定部１４は、着信検出部１２で検出された着信と計時部１３が計時している時間とに基づいて、着信が所定の時間を経過して継続しているか否かを着信制御部１５に通知する。情報記憶部２１は、例えばアドレス帳であり、利用者によって予め設定された複数の電話番号等を記憶している。番号比較部２２は、着信検出部１２で検出された着信の発番号と情報記憶部２１に記憶されている電話番号とを比較し、その比較結果を着信制御部１５に通知する。着信制御部１５は、着信判定部１４及び番号比較部２２から通知される内容に応じて、送受信部１１が受信した着信の履歴を、着信履歴記憶部１６に記憶するか否か、また出力部１７に出力するか否かを制御する。着信履歴記憶部１６は、履歴を保存する着信の発番号を記憶する。出力部１７は、表示画面等であって発番号等の着信履歴を表示する。
【００２８】
次に、図４及び図５をさらに参照して、上記構成による通信端末装置で行われる情報記憶部２１を利用した着信制御方法を説明する。図４は、本発明の第２の実施形態に係る通信端末装置が行う着信制御方法（履歴保存制御）の処理手順を示すフローチャートである。図５は、本発明の第２の実施形態に係る通信端末装置が行う着信制御方法（履歴不保存制御）の処理手順を示すフローチャートである。
【００２９】
図４の着信制御方法を説明する。着信検出部１２において着信が検出されると（ステップＳ２０１）、計時部１３は、計時を開始する（ステップＳ２０２）。これと同時に、番号比較部２２は、着信検出部１２で検出された着信の発番号と情報記憶部２１に記憶されている電話番号とを比較する（ステップＳ４０１）。発番号と一致する電話番号が情報記憶部２１に記憶されていない場合、計時部１３は、着信の検出時から所定の時間が経過した時点を着信判定部１４に通知する（ステップＳ２０３）。この所定の時間は、任意に設定可能であるが、ワン切り行為を排除させるため例えば呼び出し音１回分以上の時間に設定するのが好ましい。
【００３０】
着信判定部１４は、計時部１３から通知される所定の時間の経過時点で、着信検出部１２で検出された着信がまだ継続しているか否かを判定する（ステップＳ２０４）。着信制御部１５は、着信判定部１４でまだ着信が継続している場合には、この着信の発番号を着信履歴記憶部１６に記憶し（ステップＳ２０５）、通常の着信処理（画面表示や鳴動等）を実行する（ステップＳ２０６）。よって、この場合には、着信履歴が保存されると共に利用者に通知される。一方、着信制御部１５は、着信判定部１４で着信が継続していない場合には、着信の発番号を着信履歴記憶部１６に記憶しない（ステップＳ２０７）。よって、この場合には、着信履歴の保存も利用者への通知もされない。
【００３１】
発番号と一致する電話番号が情報記憶部２１に記憶されている場合、着信制御部１５は、着信判定部１４の判定結果にかかわらず、この発番号を着信履歴記憶部１６へ記憶し（ステップＳ２０５）、通常の着信処理を実行する（ステップＳ２０６）。よって、この場合には、着信履歴が保存されると共に利用者に通知される。
【００３２】
図５の着信制御方法を説明する。着信検出部１２において着信が検出されると（ステップＳ２０１）、計時部１３は、計時を開始する（ステップＳ２０２）。そして、計時部１３は、着信の検出時から所定の時間が経過した時点を着信判定部１４に通知する（ステップＳ２０３）。この所定の時間は、任意に設定可能であるが、ワン切り行為を排除させるため例えば呼び出し音１回分以上の時間に設定するのが好ましい。着信判定部１４は、計時部１３から通知される所定の時間の経過時点で、着信検出部１２で検出された着信がまだ継続しているか否かを判定する（ステップＳ２０４）。着信判定部１４で着信が継続していない場合には、着信制御部１５は、着信の発番号を着信履歴記憶部１６に記憶しない（ステップＳ２０７）。よって、この場合には、着信履歴の保存も利用者への通知もされない。
【００３３】
着信判定部１４でまだ着信が継続している場合には、番号比較部２２は、着信検出部１２で検出された着信の発番号と情報記憶部２１に記憶されている電話番号とを比較する（ステップＳ５０１）。発番号と一致する電話番号が情報記憶部２１に記憶されている場合、着信制御部１５は、この発番号を着信履歴記憶部１６へ記憶し（ステップＳ２０５）、通常の着信処理（画面表示や鳴動等）を実行する（ステップＳ２０６）。よって、この場合には、着信履歴が保存されると共に利用者に通知される。一方、発番号と一致する電話番号が情報記憶部２１に記憶されていない場合、着信制御部１５は、この発番号を着信履歴記憶部１６に記憶しない（ステップＳ２０７）。よって、この場合には、着信履歴の保存も利用者への通知もされない。
【００３４】
以上のように、本発明の第２の実施形態に係る通信端末装置及び着信制御方法によれば、通話することなく所定の時間が経過する前に切断された着信（不応答着信）であっても、利用者が予め設定している電話番号と一致すれば着信履歴を保存し、また所定の時間が経過した後も継続している着信であっても、利用者が予め設定している電話番号と一致しなければ着信履歴を保存しない。よって、例えば知っている相手が行ったワン切り行為に関しては着信履歴を保存することができ、ワン切り行為ではなくても知らない相手からの着信履歴を残さないようにすることができる。
【００３５】
なお、通信端末装置の利便性を考えれば、着信制御方法を使用するか否かや、情報記憶部２１に記憶されている電話番号を使用するか否かを、利用者が自由に設定できるようにすることが好ましい。この場合、例えば設定フラグを用いて、利用者がどの機能を設定しているかを判断すればよい。また、計時部１３で計時する所定の時間も、利用者が自由に設定できるようにすることが好ましい。さらに、本発明の通信端末装置は、可搬型の携帯通信端末に限られず、表示機能を有していれば固定電話機等についても同様に適用可能である。
【００３６】
典型的には、上記実施形態で説明した着信制御方法は、記憶装置（ＲＯＭ、ＲＡＭ、ハードディスク等）に格納された上述した処理手順を実行可能な所定のプログラムデータが、ＣＰＵによって解釈実行されることで実現される。この場合、プログラムデータは、メモリカード等の記録媒体を介して記憶装置内に導入されてもよいし、通信基地局等からのダウンロードによって導入されてもよい。
【産業上の利用可能性】
【００３７】
本発明の通信端末装置及び着信制御方法は、不応答着信の履歴管理する場合等に利用可能であり、特にワン切り行為等による着信を利用者に意識させず、また利用者の誤発信防止や装置の記憶資源を有効活用したい場合等に適している。
【図面の簡単な説明】
【００３８】
【図１】本発明の第１の実施形態に係る通信端末装置の構成を示すブロック図
【図２】本発明の第１の実施形態に係る通信端末装置が行う着信制御方法の処理手順を示すフローチャート
【図３】本発明の第２の実施形態に係る通信端末装置の構成を示すブロック図
【図４】本発明の第２の実施形態に係る通信端末装置が行う着信制御方法（履歴保存制御）の処理手順を示すフローチャート
【図５】本発明の第２の実施形態に係る通信端末装置が行う着信制御方法（履歴不保存制御）の処理手順を示すフローチャート
【符号の説明】
【００３９】
１０  アンテナ
１１  送受信部
１２  着信検出部
１３  計時部
１４  着信判定部
１５  着信制御部
１６  着信履歴記憶部
１７  出力部
２１  情報記憶部
２２  番号比較部
【図１】
2004153784.tif 000003
【図２】
2004153784.tif 000004
【図３】
2004153784.tif 000005
【図４】
2004153784.tif 000006
【図５】
2004153784.tif 000007